(57)【要約】【課題】普及型の電話機であっても受話器が外されたことを検出することができるオフフック検出装置を提供する。【解決手段】電話機１１と公衆回線１３との間にオフフック検出装置１を接続する。電話機１１の受話器１２が外されオフフック状態へ移行した際に生じる電流を検出部３１で検出し、この電流に基づいてオフフック状態である旨を出力部５１の接点出力コネクタ５２から出力する。接点出力コネクタ５２は、受話器１２の状態に応じて出力端子間の回路を開閉する。【選択図】図１
2008098904.tif 000002
【特許請求の範囲】
【請求項１】
電話機と該電話機を接続する公衆回線との間に接続されるオフフック検出装置であって、
前記電話機の受話器が外されオフフック状態へ移行した際に生じる電流変化を検出する検出手段と、
該検出手段が検出した前記電流変化に基づいて前記オフフック状態を検出し、その旨を出力する出力手段と、
を備えたことを特徴とし、
前記出力手段は、前記電流変化に基づいて出力端子間を電気的に開閉することを特徴としたオフフック検出装置。
【発明の詳細な説明】
【技術分野】
【０００１】
本発明は、電話機の受話器の状態を検出するオフフック検出装置に関する。
【背景技術】
【０００２】
従来、オフィスなどでは、交換機を介して電話機が接続されたり、特別な電話機が使用されている。
【０００３】
このため、オフィス等の電話機においては、受話器が外されてオフフック（ｏｆｆ−ｈｏｏｋ）状態になったことを検知して外部に通知することができる。
【発明の開示】
【発明が解決しようとする課題】
【０００４】
しかしながら、一般の家庭では、普及型の電話機が使用されており、受話器が外されたことを検知して外部に通知することができなかった。
【０００５】
本発明は、このような従来の課題に鑑みてなされたものであり、普及型の電話機であっても受話器が外されたことを検出することができるオフフック検出装置を提供することを目的とするものである。
【課題を解決するための手段】
【０００６】
前記課題を解決するために本発明のオフフック検出装置においては、電話機と該電話機を接続する公衆回線との間に接続されるオフフック検出装置であって、前記電話機の受話器が外されオフフック状態へ移行した際に生じる電流変化を検出する検出手段と、該検出手段が検出した前記電流変化に基づいて前記オフフック状態を検出し、その旨を出力する出力手段と、を備えたことを特徴とし、前記出力手段は、前記電流変化に基づいて出力端子間を電気的に開閉する。
【０００７】
すなわち、このオフフック検出装置を使用する際には、当該オフフック検出装置を電話機と公衆回線との間に接続する。
【０００８】
この状態において、前記電話機の受話器が外され、オンフック（ｏｎ−ｈｏｏｋ）状態からオフフック（ｏｆｆ−ｈｏｏｋ）状態へ移行した際には、電流変化が生ずる。すると、この電流変化が検出され、当該電流変化に基づいて、前記オフフック状態が検出される。
【０００９】
そして、このオフフック状態が検出された際には、その旨が出力される。
【００１０】
このため、前記オフフック状態を示す旨の出力を外部装置に入力することによって、前記電話機の受話器が外されたことが当該外部装置で検出される。
【００１１】
このとき、出力端子は、前記オンフック状態又は前記オフフック状態に応じて、電気的に開閉される。
【発明の効果】
【００１２】
以上説明したように本発明のオフフック検出装置にあっては、電話機と公衆回線との間に接続するとともに、当該オフフック検出装置からの出力を外部装置で入力することによって、前記電話機の受話器が外されたことを知ることができる。
【００１３】
このため、一般に普及している電話機であっても、交換機等を用いること無く、受話器が外されたオフフック（ｏｆｆ−ｈｏｏｋ）状態を外部装置等によって検知することができる。これにより、当該電話機の受話器が外されたことを、前記外部装置を介して外部に通知することもできる。
【００１４】
また、このオフフック検出装置にあっては、前記オンフック状態又は前記オフフック状態に応じて出力端子を電気的に開閉することができる。
【００１５】
このため、前記出力端子を、例えば照明回路に接続することによって前記受話器が外され前記オフクック状態となった際に照明を点灯する等、前記受話器の操作状態に基づいて他の機器を作動することができる。
【発明を実施するための最良の形態】
【００１６】
以下、本発明の一実施の形態を図面に従って説明する。図１は、本実施の形態にかかるオフフック検出装置１を示す図であり、当該オフフック検出装置１の使用状態が示されている。
【００１７】
このオフフック検出装置１は、電話機１１の受話器１２が外されたか否かを検出する装置であり、例えば一般家庭等で使用されている普及型の電話機１１と、該電話機１１が接続される公衆回線１３との間に接続して使用する装置である。
【００１８】
すなわち、前記オフフック検出装置１のケーシング２１には、ＬＩＮＥ側モジュラージャック２２が設けられており、該ＬＩＮＥ側モジュラージャック２２は、追加用電話線２３の一端に設けられたプラグ２４を抜き差し可能に接続できるように構成されている。この追加用電話線２３の他端に設けられたプラグ２５は、室内の壁面等に設けられたモジュラージャック２６に抜き差し可能に接続できるように構成されており、このモジュラージャック２６は、電話局からの公衆回線（局線）１３に接続されている。
【００１９】
前記ＬＩＮＥ側モジュラージャック２２は、検出部３１を介してＴＥＬ側モジュラージャック３２に接続されており、該ＴＥＬ側モジュラージャック３２は、前記ケーシング２１に固定されている。このＴＥＬ側モジュラージャック３２には、前記電話機１１に接続された電話線３３のプラグ３４が抜き差し可能に接続されるように構成されており、前記電話機１１を、前記検出部３１を介して前記公衆回線１３に接続できるように構成されている。
【００２０】
前記電話機１１は、プッシュボタン等を備えた電話機本体４１と、該電話機本体４１にカールコード４２を介して接続された前記受話器１２とからなり、該受話器１２は、前記電話機本体４１の保持部４３に保持した状態で当該電話機本体４１より突出した図外のスイッチ部をオン操作する一方、前記電話機本体４１の前記保持部４３から取り外した状態で前記スイッチ部をオフ操作するように構成されている。
【００２１】
これにより、前記保持部４３から前記受話器１２を取り外して前記スイッチ部をオフにし、オフフック（ｏｆｆ−ｈｏｏｋ）を形成することで、当該電話機１１による通話を可能とする一方、前記保持部４３に前記受話器１２を置いて前記スイッチ部をオンにし、オンフック（ｏｎ−ｈｏｏｋ）状態を形成することで、当該電話機１１による通話を切断できるうよう構成されている。
【００２２】
前記検出部３１は、前記オンフック状態から前記オフフック状態へ移行した際に、前記公衆回線１３と前記電話機１１間で閉回路が形成されることによって生ずる電流変化を検出する検出手段を構成しており、この検出部３１は、出力部５１に接続されている。
【００２３】
この出力部５１は、前記検出部３１が検出した前記電流変化に基づいて前記オフフック状態を検出し、その旨を接点出力コネクタ５２から出力するように構成されており、該接点出力コネクタ５２は、前記ケーシング２１に固定され、外部機器を接続できるように構成されている。
【００２４】
図２は、当該オフフック検出装置１を示す回路図であり、前記ＬＩＮＥ側モジュラージャック２２の第１出力端子１０１は、前記ＴＥＬ側モジュラージャック３２の第１出力端子１０２に直接接続されている。また、前記ＬＩＮＥ側モジュラージャック２２の第２端子１０３は、前記ダイオードブリッジ回路１０４の第１入力１０５に接続されており、該ダイオードブリッジ回路１０４の第２入力１０６には、前記ＴＥＬ側モジュラージャック３２の第２端子１０７が接続されている。
【００２５】
これにより、前記ＴＥＬ側モジュラージャック３２に接続された前記電話機１１が前記オフクック状態となり、当該電話機１１と前記公衆回線１３とが閉回路を形成した際に、前記公衆回線１３からの電力が前記ダイオードブリッジ回路１０４に供給され、当該ダイオードブリッジ回路１０４の前記両入力端子１０５，１０６間に印加された前記公衆回線１３からの電力を当該ダイオードブリッジ回路１０４で整流してプラス出力１１１及びマイナス出力１１２から出力するように構成されている。
【００２６】
すなわち、前記ダイオードブリッジ回路１０４は、前記オンフック状態から前記オフフック状態へ移行した際に前記電話機１１と前記公衆回線１３間に流れる電流に応じて直流電圧を出力する検出手段を構成している。
【００２７】
前記ダイオードブリッジ回路１０４の前記プラス出力１１１及びマイナス出力１１２間には、直列接続された抵抗１２１及び発光ダイオード１２２と、平滑コンデンサ１２３と、ツェナーダイオード１２４とが並列接続されている。また、前記プラス出力１１１は、制限抵抗１２５を介して光絶縁素子１２６の第１端子１２７に接続されており、前記マイナス端子１１２は、前記光絶縁素子１２６の第２端子１２８に接続されている。
【００２８】
前記光絶縁素子１２６において、前記第１端子１２７と前記第２端子１２８間には、内蔵の発光ダイオード１３１が接続されており、前記光絶縁素子１２６の第３端子１３２と第４端子１３３間には、ＰｈｏｔｏＭＯＳ等で構成されたスイッチング回路１３４が形成されている。このスイッチング回路１３４は、前記発光ダイオード１３１からの光を受けた際に、回路を閉じる一方、前記発光ダイオード１３１が消灯した際に、回路を開くように構成されており、前記第３端子１３２は前記接点出力コネクタ５２の第１出力端子１３５に、前記第４端子１３３は前記接点出力コネクタ５２の第２出力端子１３６に接続されている。
【００２９】
これにより、前記光絶縁素子１２６は、前記ダイオードブリッジ回路１０４から電力供給を受けて内蔵の発光ダイオード１３１を点灯した際に、前記スイッチング回路１３４によって前記接点出力コネクタ５２の両出力端子１３５，１３６間を閉じる一方、前記ダイオードブリッジ回路１０４から電力供給が遮断され内蔵の発光ダイオード１３１を消灯した際に、前記スイッチング回路１３４によって前記接点出力コネクタ５２の両出力端子１３５，１３６間を開くように構成されており、前記ダイオードブリッジ回路１０４からの出力に基づいて前記オフフック状態あるいは前記オフフック状態を検出して、その旨を出力する出力手段を構成するとともに、前記ダイオードブリッジ回路１０４からの出力に応じて前記接点出力コネクタ５２の前記両出力端子１３５，１３６間を電気的に開閉することによって、前記電話機１１が前記オフフック状態又は前記オンフック状態にあるかを出力できるように構成されている。
【００３０】
また、前記発光ダイオード１３１内蔵の前記光絶縁素子１２６を用いることによって、前記接点出力コネクタ５２の前記両出力端子１３５，１３６を前記公衆回線１３とを光絶縁できるように構成されている。
【００３１】
以上の構成に係る本実施の形態において、前記オフフック検出装置１を使用する際には、壁面等のモジュラージャック２６に接続された追加用電話線２３をＬＩＮＥ側モジュラージャック２２接続するとともに、電話機１１に接続された電話線３３のプラグ３４をＴＥＬ側モジュラージャック３２に接続することによって、当該オフフック検出装置１を前記電話機１１と前記公衆回線１３との間に接続する。
【００３２】
この状態において前記電話機１１の受話器１２が保持部４３に置かれたオンフック（ｏｎ−ｈｏｏｋ）状態では、前記電話機１１と前記公衆回線１３が形成する回路が開かれているため、前記ダイオードブリッジ回路１０４には、前記公衆回線１３からの電力が遮断され電流が流れず、当該ダイオードブリッジ回路１０４からは電力が出力されない。そして、前記光絶縁素子１２６では、内蔵の発光ダイオード１３１を消灯し、前記スイッチング回路１３４が当該光絶縁素子１２６の第３端子１３２と第４端子１３３間を開くことによって、前記接点出力コネクタ５２の両出力端子１３５，１３６間を開く。
【００３３】
一方、前記電話機１１の受話器１２が保持部４３から外されたオフフック（ｏｆｆ−ｈｏｏｋ）状態では、前記電話機１１と前記公衆回線１３が形成する回路が閉じられ、直流ループが生成される。すると、前記ダイオードブリッジ回路１０４には、前記公衆回線１３からの電力が供給され電流が流れ、当該ダイオードブリッジ回路１０４からは電力が出力される。また、前記光絶縁素子１２６では、内蔵の発光ダイオード１３１が発光し、前記スイッチング回路１３４が当該光絶縁素子１２６の第３端子１３２と第４端子１３３間を閉じることによって、前記接点出力コネクタ５２の両出力端子１３５，１３６間が閉じられる。
【００３４】
ここで、前記公衆回線１３と前記接点出力コネクタ５２の前記両出力端子１３５，１３６とは、前記光絶縁素子１２６によって絶縁されている。このため、前記公衆回線１３（局線）側及び前記接点出力コネクタ５２に接続される外部機器に対して相互に影響を与えない。
【００３５】
このように、前記電話機１１の前記受話器１２が外され、前記オンフック（ｏｎ−ｈｏｏｋ）状態から前記オフフック（ｏｆｆ−ｈｏｏｋ）状態へ移行した際には、前記検出部３１を構成する前記ダイオードブリッジ回路１０４を流れる電流に変化が生じ、この電流変化を検出することで、当該電流変化に基づいて前記オンフック状態か前記オフフック状態かを検出することができる。
【００３６】
そして、前記オンフック状態が検出された際には、前記接点出力コネクタ５２の両出力端子１３５，１３６間が開かれる一方、前記オフフック状態が検出された際には、前記接点出力コネクタ５２の両出力端子１３５，１３６間が閉じられることによって、その旨が前記接点出力コネクタ５２から接点出力として出力される。
【００３７】
このため、前記接点出力コネクタ５２に外部装置を接続して、該外部装置によって接点出力を検出することにより、前記両出力端子１３５，１３６間が開かれている場合には、前記電話機１１がオンフック状態であり、前記両出力端子１３５，１３６間が閉じられている場合には、前記電話機１１がオフクック状態であることを把握することができる。
【００３８】
このため、一般に普及している前記電話機１１であっても、交換機等を用いること無く、前記受話器１２が外されたオフフック（ｏｆｆ−ｈｏｏｋ）状態を外部装置等によって検知することができる。これにより、当該電話機１１の受話器１２が外されたことを、前記外部装置を介して外部に通知することもできる。
【００３９】
また、前記オンフック状態又は前記オフフック状態に応じて、前記接点出力コネクタ５２の前記両出力端子１３５，１３６間を電気的に開閉することができる。
【００４０】
このため、例えば前記接点出力コネクタ５２の前記第１出力端子１３５に電源の一方の極を接続するとともに、電源の他方の極が接続された照明の他方の端子を、前記第２出力端子１３６に接続することによって、前記受話器１２が外され前記オフクック状態となった際に前記照明を点灯する等、前記受話器１２の操作状態に基づいて他の機器を作動することができる。
【００４１】
そして、前記ケーシング２１に設けられた前記各モジュラージャック２２，３２は、壁面等に設けられたモジュラージャック２６と同形状のものが使用されており、通常電話線の接続に使用するＲＪ−１１コネクタを、そのまま接続することができる。
【００４２】
これにより、既存設備に本実施の形態のオフフック検出装置１を付加する際には、追加用電話線２３を一本追加するだけで対応することができ、特別な工事が不要となる。
【図面の簡単な説明】
【００４３】
【図１】本発明の一実施の形態を示すブロック図である。
【図２】同実施の形態を示す回路図である。
【符号の説明】
【００４４】
１    オフフック検出装置
１１    電話機
１２    受話器
１３    公衆回線
３１    検出部
５１    出力部
５２    接点出力コネクタ
１３５    第１出力端子
１３６    第２出力端子
【図１】
2008098904.tif 000003
【図２】
2008098904.tif 000004